(57)【要約】【課題】キャビンを備えて気象条件等の影響を受けにくい操縦部空間を確保しながら、開閉ドアを開けてのキャビン外側の苗補給作業などを、雨を除けながら行い易くする。【解決手段】キャビン４と、キャビン４の横側部に形成された出入り口４０Ａを開閉する開閉ドア４７とを備え、開閉ドア４７が、キャビン４の上部に設けた前後方向に沿う揺動軸心ｘ１周りで揺動開閉可能に装備されている。【選択図】図３
2014093949.tif 000002
【特許請求の範囲】
【請求項１】
走行機体に搭載されたキャビンと、
前記キャビンの横側部に形成された出入り口を開閉する開閉ドアとを備え、
前記開閉ドアが、前記キャビンの上部に設けた前後方向に沿う揺動軸心周りで揺動開閉可能に装備されている水田作業機。
【請求項２】
前記開閉ドア、及び前記出入り口は、前記キャビンの横側部と天井部とにわたる範囲に設けられ、かつ前記揺動軸心が、前記横側部よりも左右方向での中央側寄り箇所で前記キャビンの天井部に設けられている請求項１記載の水田作業機。
【請求項３】
前記キャビンは、走行機体の搭乗用ステップの外側縁よりも左右方向での機体中央側寄り位置に配設されている請求項１又は２記載の水田作業機。
【請求項４】
前記開閉ドアは、横外方への開放姿勢で位置保持可能に構成されている請求項１〜３のいずれか一項記載の水田作業機。
【請求項５】
前記走行機体に搭載されたエンジンが前記キャビンの外側後方に配備されている請求項１〜４のいずれか一項記載の水田作業機。
【請求項６】
前記キャビンは、後側部に前記キャビンの上部に設けた左右方向に沿う揺動軸心周りで揺動開閉可能な後部開閉扉が設けられている請求項１〜５のいずれか一項記載の水田作業機。
【発明の詳細な説明】
【技術分野】
【０００１】
本発明は、走行機体上にキャビンを搭載してある水田作業機に関する。
【背景技術】
【０００２】
上記のようにキャビンを搭載した水田作業機としては、従来より次のような構造のものが知られている。
［１］キャビンの横側部に、上下方向の揺動軸心回りで揺動開閉自在な開閉ドアを設けて、横側方から出入り可能に構成した田植機（特許文献１参照）。
［２］キャビンの前側部に、上下方向の揺動軸心回りで揺動開閉自在な開閉ドア、あるいは上下方向にスライドして開閉可能なシャッター式の開閉ドアを設けた田植機（特許文献２参照）。
【先行技術文献】
【特許文献】
【０００３】
【特許文献１】実公平７−４５１３５号公報（公報図面、第３図）
【特許文献２】特開平８−２６６１１１号公報（段落〔０００９〕、〔００１０〕、図３、図４、図５、図６）
【発明の概要】
【発明が解決しようとする課題】
【０００４】
走行機体上にキャビンを備えることによって、運転者が閉空間である操縦部空間内に位置した状態で運転することができるため、雨天での作業を快適に行い易く、また、除草剤などの飛散薬剤が運転部側へ流れ込むことを制限しながらの作業を行ない易い点で有用なものである。
しかしながら、上記特許文献１に記載の構造のように、キャビンの横側部の開閉ドアを上下方向の揺動軸心回りで回動させて開閉する構造のものでは、キャビンの出入り口から身を乗り出して、苗補給作業や肥料の補給作業を行う場合に、キャビンの外側で前後に移動することが行い難く、作業が行いづらいという問題がある。
【０００５】
上記特許文献２に記載の構造のように、キャビンの前側部に、上下方向の揺動軸心回りで揺動開閉自在な開閉ドア、あるいは上下方向にスライドして開閉可能なシャッター式の開閉ドアを設けた構造のものでは、走行機体の前方側からキャビンへ出入りし易いという点では有用である。しかしながら、この構造では、キャビンの横側部には出入り口がなく、幅狭のステップフロアしかないので、キャビンの横側部を通って機体の前後に移動することやキャビン横側部箇所での作業が行い難く、やはり苗補給作業などの機体上での作業を行いづらいという問題がある。
【０００６】
また、上記特許文献１及び特許文献２に記載の何れのものも、開閉ドアを開放した状態では雨を除けることができず、雨に濡れながらの作業を余儀なくされるので、この点で改善の余地がある。
【０００７】
本発明の目的は、キャビンを備えて気象条件等の影響を受けにくい操縦部空間を確保しながら、開閉ドアを開けてのキャビン外側の苗補給作業などを行い易く、また、その開閉ドアを開けた状態でも雨を除けながらの作業を行い易い水田作業機を提供することにある。
【課題を解決するための手段】
【０００８】
上記目的を達成するために講じた本発明における水田作業機の技術手段は、次の点に構成上の特徴、及び作用効果がある。
【０００９】
〔解決手段１〕
上記課題を解決するために講じた本発明の技術手段は、走行機体に搭載されたキャビンと、前記キャビンの横側部に形成された出入り口を開閉する開閉ドアとを備え、前記開閉ドアが、前記キャビンの上部に設けた前後方向に沿う揺動軸心周りで揺動開閉可能に装備されていることに特徴がある。
【００１０】
〔解決手段１にかかる発明の作用及び効果〕
上記解決手段１にかかる発明によると、出入り口がキャビンの横側部にあり、かつ開閉ドアの揺動軸心はキャビン上部で前後方向に沿うものであるため、開閉ドアは開放姿勢にされたとき、キャビンの横側部の上部で横外方へ張り出した状態に位置する。
したがって、開放姿勢の開閉ドアは、苗補給作業のために作業者が出入り口から前後方向へ移動することを妨げる位置からは外れた位置に存在した状態となるので、尚補給作業を行い易いという利点がある。
また、開放姿勢にある開放ドアはキャビンの上部で横外方へ張り出して位置し、出入り口の外側における作業箇所の上側を覆う状態で位置するので、その開放姿勢の開放ドアの下側に、雨除けが可能な作業領域を形成する状態となり、キャビンの出入り口を開放しても雨を除けながらの作業が可能となる利点がある。
【００１１】
〔解決手段２〕
上記課題を解決するために講じた本発明の他の技術手段は、前記開閉ドア、及び前記出入り口は、前記キャビンの横側部と天井部とにわたる範囲に設けられ、かつ前記揺動軸心が、前記横側部よりも左右方向での中央側寄り箇所で前記キャビンの天井部に設けられているということである。
【００１２】
〔解決手段２にかかる発明の作用及び効果〕
上記の解決手段２にかかる発明によると、開閉ドアの揺動軸心がキャビンの横側部よりも左右方向での中央側寄り箇所でキャビンの天井部に設けられているので、開放姿勢に姿勢変更された開閉ドアは、揺動軸心よりも高い位置にまで持ち上げられた状態となる。そして、キャビンの横側部のみならず天井部にも設けられている出入り口は、開閉ドアの開放に伴って、上方側の天井部が開放された状態となる。
したがって、天井高さの低い小型のキャビンであっても天井の高さによる制限を受けずに、開放姿勢の開閉ドアの下側の作業領域で立ち上がっての作業を行いやすくなる利点がある。
【００１３】
〔解決手段３〕
上記課題を解決するために講じた本発明の他の技術手段は、前記キャビンは、走行機体の搭乗用ステップの外側縁よりも左右方向での機体中央側寄り位置に配設されているということである。
【００１４】
〔解決手段３にかかる発明の作用及び効果〕
上記の解決手段３にかかる発明によると、キャビンの横外側に搭乗用ステップが存在し、キャビンの横外側で苗補給などの作業を行い易くなる利点がある。
【００１５】
〔解決手段４〕
上記課題を解決するために講じた本発明の他の技術手段は、前記開閉ドアは、横外方への開放姿勢で位置保持可能に構成されているということである。
【００１６】
〔解決手段４にかかる発明の作用及び効果〕
上記の解決手段４にかかる発明によると、開閉ドアを横外方への開放姿勢で位置保持して、作業用領域の上側を開放された開閉ドアで覆った状態を維持することができる利点がある。
【００１７】
〔解決手段５〕
上記課題を解決するために講じた本発明の他の技術手段は、前記走行機体に搭載されたエンジンが前記キャビンの外側後方に配備されているということである。
【００１８】
〔解決手段５にかかる発明の作用及び効果〕
上記の解決手段５にかかる発明によると、エンジンがキャビンの前側に存在しないので、キャビンを全体的に前側寄りに配設でき、前方視界を良好に保ちやすいとともに、エンジンが外側に位置するので、キャビン内での騒音が比較的少なくて済む点でも有利である。
【００１９】
〔解決手段６〕
上記課題を解決するために講じた本発明の他の技術手段は、前記キャビンは、後側部に前記キャビンの上部に設けた左右方向に沿う揺動軸心周りで揺動開閉可能な後部開閉扉が設けられているということである。
【００２０】
〔解決手段６にかかる発明の作用及び効果〕
上記の解決手段６にかかる発明によると、キャビンの上部から後方側へ延出された後部開閉扉が存在することで、キャビンの後方側でも上部を覆われた作業用領域を現出させることができ、後方の施肥装置や苗植付け装置などの各種作業対象箇所に対する作業を行い易くなる利点がある。
【図面の簡単な説明】
【００２１】
【図１】乗用型田植機の全体側面図である。
【図２】乗用型田植機の全体平面図である。
【図３】キャビンの開閉ドアを開放した状態における状態を示す説明図である。
【図４】キャビンのフレーム部分を示す斜視図である。
【図５】キャビンの分解斜視図である。
【図６】デフロスター部分を示す説明図である。
【図７】別実施形態におけるキャビンの開閉ドアの動作状態を示す説明図である。
【図８】別実施形態における乗用型田植機を示す側面図である。
【図９】別実施形態における乗用型田植機を示す平面図である。
【図１０】別実施形態における乗用型田植機を示す説明図である。
【発明を実施するための形態】
【００２２】
以下、本発明の実施の形態の一例を図面の記載に基づいて説明する。
〔水田作業機の全体構成〕
本発明に係る水田作業機の一例である乗用型田植機の側面が図１に、平面が図２にそれぞれ示されている。
この乗用型田植機は、車体フレーム１の前部が左右一対の前輪２Ｆで支持され、後部が左右一対の後輪２Ｒで支持されている。車体フレーム１上の前部で左右中央部に原動部３が搭載され、その原動部３の後方側にキャビン４が設けられ、キャビン４の後方外側に相当する車体フレーム１上の後部に施肥装置６が搭載され、前記原動部３の左右両横側部に離れた位置に予備苗のせ装置９が配設されている。
これらの原動部３、キャビン４、施肥装置６、及び予備苗のせ装置９が配設された走行機体の後方側に、車体フレーム１の後部に前端側を連結したリンク機構７を介して昇降可能に装備された苗植付け装置８を備えることによって乗用型田植機が構成されている。
【００２３】
前記車体フレーム１の上面側には、搭乗用ステップ１０が備えられている。この搭乗用ステップ１０は、エンジン３０を内装する原動部３と予備苗のせ装置９との間、及びキャビン４の横外側に、作業者が移動可能な程度の左右方向幅を有したほぼ平坦なフロントステップ１１と、そのフロントステップ１１の後方側で、前輪２Ｆよりも径の大きい後輪２Ｒの後輪フェンダを兼ねるように、上方側へ一段高く形成されたリヤステップ１２とを備えて構成されている。
このようにフロントステップ１１の上面よりも上面側が一段高く形成されたリヤステップ１２は、キャビン４の外側で後方に位置する横長の後方ステップ部分１２Ａと、キャビン４の後方側の横側部に位置する側部ステップ部分１２Ｂとを有して、平面視でほぼコの字状に形成されている。
【００２４】
後方ステップ部分１２Ａ上には前記施肥装置６が搭載設置されている。施肥装置６は、上部に開閉蓋を備えたホッパー６ａと、そのホッパー６ａに投入された肥料を所定量づつ繰り出して苗植付け装置８側の作溝器８３へ送り出す繰り出し装置６ｂとを備え、繰出し装置６ｂが前記後方ステップ部分１２Ａ上に位置するように取り付けられている。
したがって、施肥装置６に対して肥料の補給を行う場合や、後方の苗植付け装置８に対して予備苗の補給を行う場合には、作業者は側部ステップ部分１２Ｂに足を掛けたり、側部ステップ部分１２Ｂに乗って手を伸ばすことで、施肥装置６への肥料の補給あるいは苗植付け装置８の苗のせ台８０に対する予備苗の補給などの作業を行うことができる。
【００２５】
リヤステップ１２の下方側には、繰出し装置６ｂから繰り出された肥料を作溝器８３に向けてホース８４を介して圧送するための気流を発生させるブロワ８５が備えられている。ブロワ８５は、原動部３周辺の比較的暖められて乾燥した外気を、前方側へ延出したダクト８６を介して取り込み、施肥装置６の繰り出し装置６ｂに送り込むことにより、取り込んだ外気を肥料の搬送風として利用するためのものである。
【００２６】
予備苗のせ装置９は、左右方向での中央部に位置する原動部３との間に、作業者が通行可能な程度の左右方向間隔を隔てて立設されている。
つまり、下端側を車体フレーム１、及び搭乗用ステップ１０に連結した前後一対の縦支柱９ａを備えるとともに、縦支柱９ａの横外方に向けて多数の予備苗載置台９ｂが装備されている。この予備苗のせ装置９の前記縦支柱９ａと原動部３に設けたボンネット３１の横側面３１ａとの間隔を、作業者が通行可能な程度の左右方向間隔とすることによって、作業者が走行機体の前端側から後方側の移行をスムースに行えるように構成されている。
【００２７】
後輪２Ｒに比べて径の小さい操向操作自在な前輪２Ｆは、車体フレーム１の下方側に位置して、左右独立懸架式の支持装置により、左右各別に上下動可能に支持されている。後輪２Ｒは、走行機体の左右幅方向での中央部に備えた前後方向の揺動軸心（図示せず）周りで揺動可能に装備された後車軸ケース２０に支持され、後車軸ケース２０の揺動軸心周りでローリング作動自在に構成されている。
原動部３に設けたエンジン３０の動力が、図示しないミッションケースから左右の前輪２Ｆ，２Ｆに伝達されるとともに、前記ミッションケースの動力が車体フレーム１の下方側に配設された動力伝達軸２１を介して後車軸ケース２０に伝達され、後車軸ケース２０内で左右に分岐伝動されて左右の後輪２Ｒ，２Ｒが駆動される。
【００２８】
苗植付け装置８は８条植え仕様に構成されており、８条分のマット状の苗を並列載置して一定ストロークで往復横移動される苗のせ台８０、その苗のせ台８０の下端から１株分づつ苗を切り出して田面に押し込むように構成された周知の８組の回転式の植付け機構８１、及び田面の植付け箇所を均平化するよう並列配備された５個の整地フロート８２を備えている。
この苗植付け装置８は、リンク機構７に対して前後方向の軸心回りでローリング作動可能に支持されており、リンク機構７は、昇降駆動用の油圧シリンダ７ａの伸縮作動によって上下昇降作動可能に構成れ、苗植付け装置８の上下位置変更を行えるように構成されている。
【００２９】
〔キャビンの構造〕
原動部３の後方側で、かつ施肥装置６の前方に相当する箇所に設けられたキャビン４は次のように構成されている。
すなわち、キャビン４は、図１乃至図３に示すように、キャビン主枠４０の左右両側部に出入り口４０Ａ、及び開閉ドア４７を設け、キャビン主枠４０の後側部に後部開口４０Ｂ、及び後部開閉扉４５を設けて構成され、図４に示すように全体がほぼ矩形箱状に形成されている。
【００３０】
キャビン４の内部には、操縦パネル５１、及びステアリングハンドル５２を備えた操縦部５０と、運転座席５３と、運転座席５３の横側部に配備されて、苗植付け装置８を昇降作動させる昇降操作具５５などが備えられた作業操作部５４とが設けられている。したがって、操縦者が運転座席５３に搭座した状態でステアリングハンドル５２を操作するなどして、キャビン４内に位置したままで走行機体の操縦、及び苗植付け装置８の昇降操作などを行うことができる。
【００３１】
キャビン主枠４０は、図１、２、及び図４、５に示すように、搭乗用ステップ１０の上側において、左右一対の前支柱４ａ，４ａと、左右一対の後支柱４ｂ，４ｂと、それらの前支柱４ａと後支柱４ｂとの間に位置する中間支柱４ｃとを備え、これらの前支柱４ａ，４ａ、後支柱４ｂ，４ｂ、及び中間支柱４ｃ，４ｃの各上端部に連結される天井枠４ｄとを備えている。
左右一対の前支柱４ａ，４ａは、原動部３のボンネット３１の上側を迂回するように屈曲形成された下部前フレーム４ｅによって、その下端側同士が、搭乗用ステップ１０よりも上側で連結されている。
また、左右方向での一方の前支柱４ａと同じ一方の後支柱４ｂ及び中間支柱４ｃとを搭乗用ステップ１０の上側で連結する下部横フレーム４ｆ、左右方向での他方の前支柱４ａと同じ他方の後支柱４ｂ及び中間支柱４ｃとを搭乗用ステップ１０の上側で連結する下部横フレーム４ｆとを備えている。さらに、左右一対の後支柱４ｂ，４ｂの下端側近くで、左右の下部横フレーム４ｆ，４ｆ同士を連結する下部後フレーム４ｇを備えている。
【００３２】
前記左右の前支柱４ａ，４ａと、天井枠４ｄと、原動部３のボンネット３１の上側を迂回して左右一対の前支柱４ａ，４ａの下端部同士を連結する下部前フレーム４ｅとで囲まれる範囲に、上下方向での中間部で前方側に突曲する透明な曲面ガラスによって構成された前壁４１を設けてある。ボンネット３１の外郭形状と同形状となるように上方側に凹入する形状に形成された下部前フレーム４ｅは、ボンネット３１の外面との間に図示しないシール材を介して水密状態に固定されている。
このように、ボンネット３１の後部側外縁を跨ぐ状態で取り付けられている前壁４１によって、キャビン４の機体前方側に向かう前側部が構成されている。
【００３３】
キャビン４の後側部を構成する後壁４２は、後方側の施肥装置６のホッパー６ａの上端や運転座席５３の上端部と同程度、もしくはそれより少し高い位置に設けた仕切フレーム４２Ｃを境にして、下部後壁４２Ａと上部後壁４２Ｂとに区画されている。
下部後壁４２Ａは、左右の後支柱４ｂ，４ｂと、下部後フレーム４ｇと、仕切フレーム４２Ｃとで囲まれた範囲に嵌め込まれた合成樹脂材料性の不透明な仕切壁材によって構成されている。
上部後壁４２Ｂは、左右の後支柱４ｂ，４ｂと、天井枠４ｄと、仕切フレーム４２Ｃとで囲まれた範囲に形成された後部開口４０Ｂを閉塞するように位置するものではあるが、これらの後支柱４ｂ，４ｂ、天井枠４ｄ、及び仕切フレーム４２Ｃとは別部材で構成されている。
つまり、開閉可能な後部開閉扉４５が、閉塞姿勢で左右の後支柱４ｂ，４ｂと、天井枠４ｄと、仕切フレーム４２Ｃとで囲まれた範囲に位置するように設けてあり、この閉塞姿勢にある後部開閉扉４５によって上部後壁４２Ｂが構成されている。後部開閉扉４５の構造については後述する。
【００３４】
そして、キャビン４の左右横側方での一方に向かう横側部を構成する横壁４３は、左右方向での一方の前支柱４ａと、同じ一方の後支柱４ｂと、天井枠４ｄと、同じ一方の下部横フレーム４ｆとで囲まれる範囲が、中間支柱４ｃを境にして前後に区画されている。つまり、中間支柱４ｃよりも前方側の前部横壁４３Ａと、後部横壁４３Ｂとに区画されている。
【００３５】
前部横壁４３Ａは、左右方向での一方の前支柱４ａと、同じ一方の中間支柱４ｃと、天井枠４ｄと同じ一方の下部横フレーム４ｆとで囲まれる範囲に嵌め込まれた扁平な透明ガラスで構成されている。
後部横壁４３Ｂは、左右方向での一方の中間支柱４ｃと、同じ一方の後支柱４ｂと、天井枠４ｄと、同じ一方の下部横フレーム４ｆとで囲まれる範囲に位置するものではあるが、これらの中間支柱４ｃ、後支柱４ｂ、天井枠４ｄ、下部横フレーム４ｆとは別部材で構成されている。つまり、開閉可能な開閉ドア４７が、閉塞姿勢で左右方向での一方の中間支柱４ｃと、同じ一方の後支柱４ｂと、天井枠４ｄと、同じ一方の下部横フレーム４ｆとで囲まれる範囲に位置するように設けてあり、この閉塞姿勢にある開閉ドア４７によって後部横壁４３Ｂが構成されている。開閉ドア４７の構造については後述する。
【００３６】
キャビン４の左右横側方での他方に向かう横側部を構成する横壁４３も、前記一方に向かう横側部を構成する横壁４３と同様に、中間支柱４ｃよりも前方側の前部横壁４３Ａと、後部横壁４３Ｂとに区画されている。そして、前記一方に向かう横側部を構成する横壁４３と同じ構造の前部横壁４３Ａ、及び後部横壁４３Ｂとしての、同じ構造の開閉可能な開閉ドア４７が備えられている。
【００３７】
また、キャビン４の天井部を構成する天井壁４４は、キャビン４の出入り口４０Ａが形成された箇所を除く固定天井壁４４Ａと、出入り口４０Ａが形成された箇所を覆う可動天井壁４４Ｂとを備えて構成されている。
固定天井壁４４Ａは、図４及び図５に示すように、左右の前支柱４ａ，４ａの上部同士を連結するように左右横方向に架設された第１横フレーム４６ａと、その後方側に配置された第２横フレーム４６ｂ、及び、左右の後支柱４ｂ，４ｂの上端部同士を連結するように左右横方向に架設された第３横フレーム４６ｃを備えている。さらに、第２横フレーム４６ｂの左右方向での中央部近くと、第３横フレーム４６ｃの左右方向での中央部近く位置を、左右一対の中央フレーム４６ｄ，４６ｄで連結してあり、天井枠４ｄは、これらの第１横フレーム４６ａ、第２横フレーム４６ｂ、第３横フレーム４６ｃ、及び、中央フレーム４６ｄ，４６ｄを備えて構成されている。
そして、第１横フレーム４６ａと第２横フレーム４６ｂとの間、及び左右一対の中央フレーム４６ｄ，４６ｄ同士の間に、不透明な合成樹脂材で構成された屋根材４６ｅが装着されることにより、固定天井壁４４Ａが構成されている。
【００３８】
可動天井壁４４Ｂは、中央フレーム４６ｄ，４６ｄの左右方向での横外側で、かつ第２横フレーム４６ｂと第３横フレーム４６ｃとの間に位置するものではあり、この中央フレーム４６ｄ，４６ｄの左右方向での横外側で、かつ第２横フレーム４６ｂと第３横フレーム４６ｃとの間に形成される空間がキャビン４の出入り口４０Ａの天井部側に相当する。
可動天井壁４４Ｂは、これらの中央フレーム４６ｄ，４６ｄ、第２横フレーム４６ｂ、及び第３横フレーム４６ｃとは別部材で構成されている。
つまり、左右の開閉ドア４７が、前記横壁４３の後部横壁４３Ｂを兼ねる横側ドア部分と、天井壁４４の一部である可動天井壁４４Ｂを兼ねる天井ドア部分とで構成されていて、この開閉ドア４７が閉塞姿勢にある状態での天井ドア部分によって可動天井壁４４Ｂが構成されている。
開閉ドア４７の具体構造については後述する。
【００３９】
〔後部開閉扉〕
後部開閉扉４５は、閉塞姿勢で左右の後支柱４ｂ，４ｂと、天井枠４ｄと、仕切フレーム４２Ｃとで囲まれた範囲に位置して後部開口４０Ｂを開閉するように設けてあり、その閉塞姿勢でキャビン４の上部後壁４２Ｂを兼ねるように構成されている。
この後部開閉扉４５は、図１、図４、及び図５に示されているように、左右の後支柱４ｂ，４ｂと、天井枠４ｄと、仕切フレーム４２Ｃとで囲まれた範囲と同様な形状に形成された扉フレーム４５ａを備えている。そして、扉フレーム４５ａの上端部に設けたボス部４５ｂと、扉フレーム４５ａの矩形状の枠内に嵌め込み状態に装着された後部扉ガラス４５ｃと、ボス部４５ｂと後部扉ガラス４５ｃとの間に位置させた上部板材４５ｄとを備えている。
【００４０】
天井枠４ｄの後部近くに、左右方向に沿う枢支ピン４６ｆを突設してあり、この枢支ピン４６ｆに扉フレーム４５ａの上端部に設けたボス部４５ｂを嵌入させることにより、後部開閉扉４５が、天井枠４ｄに対して前記枢支ピン４６ｆの軸心であるところの左右方向の横軸芯ｘ２（揺動軸心に相当する）回りで揺動可能に枢支連結されている。したがって、後部開閉扉４５は、前記横軸芯ｘ２回りに揺動して、水平姿勢に近い開放姿勢と、下部後壁４２Ａに沿うように垂下した閉塞姿勢とに姿勢変更可能に構成されている。
【００４１】
後部開閉扉４５の扉フレーム４５ａと、一方の後支柱４ｂとにわたって、後部開閉扉４５を開放側へ付勢するように付勢方向を設定した周知のガスアシストダンパー４９を設けてある。このガスアシストダンパー４９は、後部開閉扉４５の開放側への操作力を補助するように、後部開閉扉４５を前記横軸芯ｘ２回りで開放姿勢側へ押し上げ付勢するように伸長作動し、後部開閉扉４５の閉塞側への操作時には、後部開閉扉４５の下降揺動に抵抗を与えながら収縮作動するように構成されている。また、ガスアシストダンパー４９の付勢力は、後部開閉扉４５を押し上げて開放姿勢に操作したとき、後部開閉扉４５が自重で降下せず、その開放姿勢が維持される程度に付勢力を設定されている。
【００４２】
したがって、後部開閉扉４５を開放姿勢に維持して、キャビン４の内方側から後方側の施肥装置６のホッパー６ａに対して肥料の補給を行ったり、後方側を確認したりの作業を行い易く構成されている。
後部開閉扉４５を開閉操作するには、後部開閉扉４５の扉フレーム４５ａの下辺部の室内側に設けた握り操作具４５ｅを把持して、後部開閉扉４５の開閉操作を行えるように構成されている。
【００４３】
〔開閉ドア〕
開閉ドア４７は、キャビン４の横側部を構成する左右の横壁４３のうちの後部横壁４３Ｂと、キャビン４の天井部の一部とを兼ねるように、これらが一体的に構成されている。
図２乃至図５に基づいてその具体構造を説明する。
【００４４】
開閉ドア４７の上端側を装着するキャビン４の天井枠４ｄは、前述したように、左右の前支柱４ａ，４ａの上部同士を連結するように左右横方向に架設された第１横フレーム４６ａと、その後方側に配置された第２横フレーム４６ｂ、及び、左右の後支柱４ｂ，４ｂの上端部同士を連結するように左右横方向に架設された第３横フレーム４６ｃを備え、かつ第２横フレーム４６ｂの左右方向での中央部近くと、第３横フレーム４６ｃの左右方向での中央部近く位置を、左右一対の中央フレーム４６ｄ，４６ｄで連結してある。
【００４５】
開閉ドア４７は、前記横壁４３の後部横壁４３Ｂを兼ねる横側ドア部分と、天井壁４４の一部である可動天井壁４４Ｂを兼ねる天井ドア部分とが、図３に示すように、正面視でＬ字状に屈曲した形状に形成されている。
そして、横側ドア部分は、図１、図４、及び図５に示されているように、左右方向での一方の中間支柱４ｃと、同じ一方の後支柱４ｂと、天井枠４ｄと、同じ一方の下部横フレーム４ｆとで囲まれる範囲の後部横壁４３Ｂと同形状のドアフレーム４７ａに、そのドアフレーム４７ａで周辺を囲繞されるように扁平な透明ガラス４７ｂを嵌め込んで構成されている。
【００４６】
また、前記天井ドア部分は、ドアフレーム４７ａの上端部からキャビン４の内方側へ向けて延出された前後一対の天井ドアフレーム４７ｃ，４７ｃと、その天井ドアフレーム４７ｃ，４７ｃの延出端側で、天井枠４ｄの中央フレーム４６ｄに外嵌して開閉ドア４７を揺動開閉自在に枢支するための筒状の軸支部４７ｄを一体に固定してある。さらにこの天井ドア部分の、前記前後一対の天井ドアフレーム４７ｃ，４７ｃと、筒状の軸支部４７ｄと、ドアフレーム４７ａの上端部とで囲まれた範囲にわたって、固定天井壁４４Ａの屋根材４６ｅと同様な不透明な合成樹脂製の板材４７ｅが装着されている。
【００４７】
このように構成された開閉ドア４７の前記枢支部４７ｄが、前後方向に沿う水平方向軸心ｘ１，ｘ１を有した天井枠４ｄの中央フレーム４６ｄ，４６ｄに外嵌し、枢支されることにより、前後方向に沿う水平方向軸心ｘ１，ｘ１（揺動軸心に相当する）回りで揺動開閉可能に構成されている。
【００４８】
さらに開閉ドア４７は、図３に示すように、キャビン４の中間支柱４ｃの上部と、開閉ドア４７の天井ドアフレーム４７ｃとにわたって、開閉ドア４７を開放側へ付勢するように付勢方向を設定した周知のガスアシストダンパー４８を設けてある。
このガスアシストダンパー４８は、開閉ドア４７の開放側への操作力を補助するように、開閉ドア４７を前記水平方向軸芯ｘ１回りで開放姿勢側へ押し上げ付勢するように伸長作動し、開閉ドア４７の閉塞側への操作時には、開閉ドア４７の下降揺動に抵抗を与えながら収縮作動するように構成されている。また、ガスアシストダンパー４８の付勢力は、開閉ドア４７を押し上げて開放姿勢に操作したとき、開閉ドア４７が自重で降下せず、その開放姿勢が維持される程度に付勢力を設定されている。
したがって、開閉ドア４７を、その横側部分４７Ａが水平姿勢に近くなるように上方側へ揺動させた開放姿勢に維持して、その開閉ドア４７の下側空間での苗補給作業を行うなどの作業を行い易く構成されている。
【００４９】
キャビン４の横側部は、後部横壁４３Ｂに対応する箇所が、開閉ドア４７の大きさに相当する出入り口４０Ａとなっており、開閉ドア４７が閉塞姿勢にあると横側部の出入り口４０Ａが閉塞され、開閉ドア４７が開放姿勢に姿勢変更されると、横側部の出入り口４０Ａの全体が開放された状態となる。
そして、出入り口４０Ａは、キャビン４の天井部にも、開閉ドア４７の天井ドア部分が位置する範囲に相当する大きさで形成されており、開閉ドア４７が閉塞姿勢にあると天井部の出入り口４０Ａが閉塞され、開閉ドア４７が開放姿勢に姿勢変更されると、天井部の出入り口４０Ａも開放された状態となる。
【００５０】
このように、開閉ドア４７が天井部の一部を兼ねるように構成され、天井部にも出入り口４０Ａが形成されていることにより、開閉ドア４７の開放姿勢で、キャビン４の内部空間の一部とキャビン４の外側の搭乗用ステップ１０とにわたって、作業者が天井部の高さによる制限を受けずに立ち姿勢で作業を行うことのできる空間を広く確保した状態となる。
【００５１】
図１及び図３に示す符号４７ｆは、開閉ドア４７を開閉操作する際に手で押し引き操作するための取っ手であり、ドアフレーム４７ａの前後にわたって横側部分４７Ａの内面側と外面側との両方に、表裏で同じ位置に設けてある。
この取っ手４７ｂの位置は、側面視で運転座席５３に座った状態からの押し上げ操作が楽に行え、かつ、開放姿勢にある開閉ドア４７の最も高い部位よりも低く位置し、掴んでの引き下ろし操作が楽に行い易い位置に設けられている。
【００５２】
〔デフロスター〕
図６に示すように、キャビン４内で、操縦パネル５１の前端部近くに、前壁４１の内面側へ向けて、温風を吹きかけるデフロスター５６の導風口５６ａを設けてある。このデフロスター５６は、エンジン３０の冷却用ファン（図示せず）による冷却廃風をキャビン４の内部に導くための導風路５６ｂ、及びその導風路５６ｂを開閉操作するためのシャッター５６ｃを備えて構成されている。
【００５３】
〔別実施形態の１〕
上記の実施形態では、キャビン４として、開閉ドア４７を、横壁４３を構成する横側部分４７Ａと、天井壁４４の一部を構成する天井部分４７Ｂとで構成し、かつ、出入り口４０Ａを横側部と天井部とにわたって形成したものを示したが、これに限られるものではない。
例えば、図７に示すように、開閉ドア４７を、横壁４３を構成する横側ドア部分のみで構成し、かつ、出入り口４０Ａも横側部にのみ形成したものであってもよい。
また、開閉ドア４７や出入り口４０Ａを構成するにあたり、後部横壁４３Ｂの大きさに相当するものに限らず、例えば横壁４３の全体に相当する大きさのものであってもよい。
その他の構成は、前述した実施形態と同様の構成を採用すればよい。
【００５４】
〔別実施形態の２〕
上記の実施形態では、キャビン４の前壁４１、後壁４２、横壁４３を透明ガラスで構成したものを例示したが、これに限られるものではない。
例えば、視界を妨げる虞の少ない着色ガラスや半透明ガラス、及び、アクリル樹脂などの透明材料で構成してもよい。ただし、前壁４１に関しては前方視界を良好に保つために、透明ガラスに近い透過性能の良いものであることが望まれるが、それほど視認性の確保が問題とならない後壁４２や横壁４３に関しては、全部あるいは一部をある程度の遮光性を有したもので構成してもよい。
その他の構成は、前述した実施形態と同様の構成を採用すればよい。
【００５５】
〔別実施形態の３〕
上記の実施形態では、開閉ドア４７や後部開閉扉４５の開放姿勢への付勢手段及び開放姿勢を維持する手段としてガスアシストダンパー４８，４９を例示したが、これに限らず適宜の付勢手段、及び姿勢維持手段を採用することができる。
例えば付勢手段として、開閉ドア４７や後部開閉扉４５を開放姿勢へ付勢するコイルスプリングを設けたり、開閉ドア４７や後部開閉扉４５を開放姿勢で固定するように、天井枠４ｄや各支柱４ａ，４ｂ，４ｃとの間に、着脱可能な固定用連結ロッド（図示せず）を掛け渡すなど、任意の構造を採用することができる。
その他の構成は、前述した実施形態と同様の構成を採用すればよい。
【００５６】
〔別実施形態の４〕
上記の実施形態では、エンジン３０を内装するボンネット３１の後部と、運転座席５３の後方側とにわたる範囲で、キャビン４を設けたものを例示したが、これに限らず、図８に示すようにキャビン４を設けてもよい。
この構造の乗用田植機は、エンジン３０を運転座席５３よりも下方の後方側に位置させてあり、キャビン４の内部には、ステアリングハンドル５２を備える操縦部５０と運転座席５３とが配設され、エンジン３０はキャビン４の外側に位置する状態となっている。
したがって、キャビン４の内部にはエンジン３０の騒音などの影響が及び難いように構成されている。
その他の構成は、前述した実施形態と同様の構成を採用すればよい。
【００５７】
〔別実施形態の５〕
上記の実施形態では、キャビン４を平面視でほぼ矩形に近い形状に形成したものであるが、これに限らず、例えば図９に示すように構成してもよい。
この構造では、キャビン４の前部及び後部が先窄まり状に形成され、全体として平面視で楕円形状に形成されている。このように楕円状に形成したことにより、キャビン４の前端側での昇降や、後端側での苗補給作業などをできるだけ広い空間で行い易くなる利点がある。
また、キャビン４の前端部にも搭乗用ステップ１０が存在するようにしてあるので、左右への乗り換わりも行い易い。
その他の構成は、前述した実施形態と同様の構成を採用すればよい。
【００５８】
〔別実施形態の６〕
上記の実施形態では、施肥装置６をキャビン４の後方でリヤステップ１２の上方に位置させた構造ものを例示したが、これに限られるものではない。例えば図１０に示すように、施肥装置６をリヤステップ１２の下方側に配設するように構成してもよい。この場合には、施肥装置６のホッパーに対する肥料の供給を上方側から行うことができないので、図示しないスクリュー軸を内装してスクリュー軸の回転に伴って筒内を搬送するように構成されたスクリュー式搬送装置などを用いて機体の横側方から送り込むようにすればよい。
その他の構成は、前述した実施形態と同様の構成を採用すればよい。
【００５９】
〔別実施形態の７〕
上記の実施形態では、原動部３にエンジン３０を搭載した水田作業機を例示したが、このようにエンジン３０の駆動力によって駆動される構造に限られるものではない。例えば、図１０に示すように、前輪２Ｆ及び後輪２Ｒの夫々の駆動軸部に対して、原動部３に備えたバッテリー（図示せず）の電力によって駆動される電動モータ３２を設けて、機体走行を電気動力で行うように構成してもよい。
その他の構成は、前述した実施形態と同様の構成を採用すればよい。
【産業上の利用可能性】
【００６０】
本発明は、実施の形態で示したような８条植え仕様の苗植付装置５を備えた乗用型田植機に限らず、異なる植付条仕様の苗植付装置５を備えた乗用型田植機であったり、圃場に種籾を播種する直播機であったり、あるいは薬剤散布機であるなどの各種の水田作業機に適用することができる。
【符号の説明】
【００６１】
３              原動部
４              キャビン
６              施肥装置
９              予備苗のせ台
１０            搭乗用ステップ
３０            エンジン
４０Ａ          出入り口
４５            後部開閉扉
４７            開閉ドア
５３            運転座席
ｘ１            水平方向軸心（揺動軸心）
ｘ２            横軸心（揺動軸心）
【図１】
2014093949.tif 000003
【図２】
2014093949.tif 000004
【図３】
2014093949.tif 000005
【図４】
2014093949.tif 000006
【図５】
2014093949.tif 000007
【図６】
2014093949.tif 000008
【図７】
2014093949.tif 000009
【図８】
2014093949.tif 000010
【図９】
2014093949.tif 000011
【図１０】
2014093949.tif 000012